(57)【特許請求の範囲】
【請求項１】
少なくとも１つのアクセス・ポイントを含む第１の無線ネットワークを構成する方法であって、前記第１の無線ネットワークの前記少なくとも１つのアクセス・ポイントの少なくとも１つのパラメータを、少なくとも２つのノードを含む第２の無線ネットワークのリンク・バジェットの少なくとも一部に従って設定するステップを含み、前記ノードは、決定された物理的空間内に位置し、前記第１および第２の無線ネットワークは物理的に異なり、前記設定は、前記第２のネットワークの前記リンク・バジェットに従って前記第１のネットワークのリンク・バジェットを決定することを含むことを特徴とする、前記方法。
【請求項２】
前記第１の無線ネットワークは第１の物理チャネルを使用し、前記第２の無線ネットワークは第２の物理チャネルを使用し、前記第１および第２の物理チャネルが異なることを特徴とする、請求項１に記載の方法。
【請求項３】
前記物理的空間内に含まれる要素ゾーンを表す情報項目を記憶するステップを含む、前記物理的空間を決定するステップを含み、前記要素ゾーンはそれぞれ前記第２のネットワークの少なくとも１つのノードを含むことを特徴とする、請求項１または２に記載の方法。
【請求項４】
前記物理的空間を決定する前記ステップは、前記要素ゾーンに含まれる前記要素ゾーン内の少なくとも１つのノードの位置を表す情報項目を記憶するステップも含むことを特徴とする、請求項３に記載の方法。
【請求項５】
前記第２のネットワークの前記リンク・バジェットの前記少なくとも一部を受信するステップを含むことを特徴とする、請求項１〜４のいずれか１項に記載の方法。
【請求項６】
前記第２のネットワークの前記リンク・バジェットの前記少なくとも一部を決定するステップを含むことを特徴とする、請求項１〜５のいずれか１項に記載の方法。
【請求項７】
前記パラメータは、
少なくとも１つの空間パラメータ、
少なくとも１つの物理レイヤ・パラメータ、
前記物理レイヤより上位のレイヤの少なくとも１つのパラメータ、または
これらのパラメータの任意の組合せ
から選択されることを特徴とする、請求項１〜６のいずれか１項に記載の方法。
【請求項８】
前記第２のネットワークの前記リンク・バジェットは、前記第２のネットワークの少なくとも１つのノードから伝送され、前記第２のネットワークの少なくとも１つの他のノードによって受信された信号の受信パワーの測定に基づいており、前記測定は、前記信号の少なくとも２つの異なる伝送チャネル周波数について実行され、前記少なくとも２つの伝送チャネル周波数は同じ周波数帯域に属することを特徴とする、請求項１〜７のいずれか１項に記載の方法。
【請求項９】
前記第２のネットワークはメッシュ・ネットワークであることを特徴とする、請求項１〜８のいずれか１項に記載の方法。
【請求項１０】
前記第１のネットワークは第１の周波数帯域を使用し、前記第２の無線ネットワークは前記第１の周波数帯域とは異なる第２の周波数帯域を使用することを特徴とする、請求項１〜９のいずれか１項に記載の方法。
【請求項１１】
前記第１の周波数帯域と前記第２の周波数帯域との差が２オクターブ未満であることを特徴とする、請求項１０に記載の方法。
【請求項１２】
前記物理的空間内の前記第２のネットワークのノードの分布密度が、前記物理的空間内の前記第１のネットワークのノードの分布密度より高いことを特徴とする、請求項１〜１１のいずれか１項に記載の方法。
【請求項１３】
前記第２のネットワークの前記リンク・バジェットの前記少なくとも一部を得ることを要求するステップを含むことを特徴とする、請求項５〜１２のいずれか１項に記載の方法。
【発明の詳細な説明】
【技術分野】
【０００１】
本発明は、電気通信の分野に関し、さらに詳細には、無線ネットワークの管理および構成に関する。
【背景技術】
【０００２】
従来技術では、ＷＬＡＮ（無線ローカル・エリア・ネットワーク）のいくつかのアーキテクチャが知られている。その一部は、例えばＭＩＭＯ（複数入力複数出力）またはＯＦＤＭ（直交周波数分割多重）などの様々な高度な技術と結びつけられた高い伝送パワーを用いて一軒家やビルのフロアなどの空間をカバーする、単一のアクセス・ポイントを使用するものである。従って、（標準８０２．１１ｎに基づく）Ｗｉ−Ｆｉ（登録商標）ネットワークのアクセス・ポイントは、ＭＩＭＯおよびＯＦＤＭ技術により半径９０メートルの範囲内で１００Ｍｂｉｔ／ｓの実際のビットレートを達成し、ＨｉｐｅｒＬＡＮ２ネットワークのアクセス・ポイントは、半径４５メートルの範囲内で５０Ｍｂｉｔ／ｓのビットレートを達成する。このような単一のアクセス・ポイントに基づくアーキテクチャには、隣接するエリアとの間で高レベルの干渉が生じるという欠点があり、また、伝送信号を強く減衰させる壁などの物理的な障害によってアクセス・ポイントから隔てられているゾーンでは特に、カバーすべき空間の全体をカバーできないリスクがある。さらに、高い伝送パワーを使用することで、電磁放射に長期間さらされることに関連するリスクに関する公衆衛生上の問題が生じている。
【０００３】
他に、複数のアクセス・ポイントを使用する無線ローカル・ネットワーク・アーキテクチャもある。これらのアクセス・ポイントは、伝送パワーが単一アクセス・ポイントのアーキテクチャより弱く、カバーすべき空間内に分布し、例えば有線バックボーンによって互いに接続されている。ただし、このようなアーキテクチャは、構成が複雑である。実際に、最小限の干渉しか起こさずにカバーすべき空間を確実に完全にカバーするように各アクセス・ポイントのパラメータ（例えば周波数チャネルおよび伝送パワー）を正しく設定することは困難である。伝送パワーのレベルが弱すぎれば、当該空間の一部のゾーンがカバーされないリスクがあり、伝送パワーが強すぎれば、異なるアクセス・ポイント間で干渉が大きくなるリスクがある。
【発明の概要】
【発明が解決しようとする課題】
【０００４】
本発明の目的は、こうした従来技術の欠点の少なくとも１つを克服することである。
【０００５】
さらに具体的には、本発明の目的は、特に、少なくとも１つのアクセス・ポイントを含む無線ネットワークの構成を最適化することである。
【課題を解決するための手段】
【０００６】
本発明は、少なくとも１つのアクセス・ポイントを含む第１の無線ネットワークを構成する方法に関する。この方法は、第１の無線ネットワークの少なくとも１つのアクセス・ポイントの少なくとも１つのパラメータを、少なくとも２つのノードを含む第２の無線ネットワークのリンク・バジェットの少なくとも一部に従って設定するステップを含む。ノードは、決定された物理的空間内に位置し、第１および第２の無線ネットワークは物理的に異なる。
【０００７】
具体的な特徴によれば、第１の無線ネットワークは第１の物理チャネルを使用し、第２の無線ネットワークは第２の物理チャネルを使用し、第１および第２の物理チャネルは異なる。
【０００８】
特定の特徴によれば、この方法は、物理的空間内に含まれる要素ゾーンを表す情報項目を記憶するステップを含む、物理的空間を決定するステップを含み、要素ゾーンはそれぞれ第２のネットワークの少なくとも１つのノードを含む。
【０００９】
物理的空間を決定するステップは、物理的空間を構成する要素ゾーン内の少なくとも１つのノードの位置を表す情報項目を記憶するステップも含むと有利である。
【００１０】
他の特徴によれば、この方法は、第２のネットワークのリンク・バジェットの少なくとも一部を受信するステップを含む。
【００１１】
この方法は、第２のネットワークのリンク・バジェットの少なくとも一部を決定するステップを含むと有利である。
【００１２】
具体的な特徴によれば、パラメータは、
少なくとも１つの空間パラメータ、
少なくとも１つの物理レイヤ・パラメータ、
物理レイヤより上位のレイヤの少なくとも１つのパラメータ、または
これらのパラメータの任意の組合せから選択される。
【００１３】
他の特徴によれば、設定するステップは、第２のネットワークのリンク・バジェットに従って第１のネットワークのリンク・バジェットを決定するステップを含む。
【００１４】
第２のネットワークのリンク・バジェットは、第２のネットワークの少なくとも１つのノードから伝送され、第２のネットワークの少なくとも１つの他のノードによって受信された信号の受信パワーの測定に基づいており、測定は、信号の少なくとも２つの異なる伝送チャネル周波数について実行され、少なくとも２つの伝送チャネル周波数は同じ周波数帯域に属すると有利である。
【００１５】
特定の特徴によれば、第２のネットワークはメッシュ・ネットワークである。
【００１６】
具体的な特徴によれば、第１のネットワークは第１の周波数帯域を使用し、第２の無線ネットワークは第１の周波数帯域とは異なる第２の周波数帯域を使用する。
【００１７】
第１の周波数帯域と第２の周波数帯域との差が２オクターブ未満であると有利である。
【００１８】
他の特徴によれば、物理的空間内の第２のネットワークのノードの分布密度が、物理的空間内の第１のネットワークのノードの分布密度より高い。
【００１９】
この方法は、第２のネットワークのリンク・バジェットの少なくとも一部を得るための要求ステップを含むと有利である。
【００２０】
添付の図面について言及している以下の説明を読めば、本発明は、より良く理解され、その他の具体的な特性および利点も明らかになるであろう。
【図面の簡単な説明】
【００２１】
【図１】本発明の具体的な実施形態による、２つの無線ネットワークを実装する無線システムを示す図である。
【図２】本発明の具体的な実施形態による、図１に示すシステムの第１のネットワークのアクセス・ポイントを示す概略図である。
【図３】本発明の具体的な実施形態による、図１に示すシステムの第２のネットワークのノードを示す概略図である。
【図４】本発明の具体的な実施形態による、図１に示すシステムの第１の無線ネットワークを構成する方法を示す図である。
【図５】本発明の具体的な実施形態による、図１に示すシステムの第１の無線ネットワークを構成する方法を示す図である。
【発明を実施するための形態】
【００２２】
図１は、２つの無線ネットワークを実装する無線通信システム１を示す図である。第１のネットワークは、伝送において、外壁１０で仕切られた例えばビルの１フロアや一軒家などに対応する空間をカバーする、すなわち一組の部屋１０００１〜１０００６をカバーする、２つのアクセス・ポイントＡＰ１  １００１およびＡＰ２  １００２を備えている。アクセス・ポイントＡＰ１  １００１は、部屋１０００１のゾーン８  １０００１ｂ内に位置し、アクセス・ポイントＡＰ２  １００２は、部屋１０００３に対応するゾーン３内に位置する。第２のネットワークは、例えばビルの１フロアや一軒家などに対応する空間内に分布した８個のノード１０１、１０２、１０３、１０４、１０５、１０６、１０７および１０８を備えている。この空間は、仕切り壁１０によって包囲され、仕切り壁１０は、部屋と部屋の間で人が行き来できるようにするための１つまたは２つの開口をそれぞれ含む壁面１１、１２、１３、および１４によって仕切られた部屋１０００１、１０００２、１０００３、１０００４、１０００５および１０００６を包含している。部屋１０００２、１０００３、１０００４および１０００５は、それぞれが１つのノードを含み、これらのノードはそれぞれ１０２、１０３、１０４および１０５で示されている。他の部屋よりサイズの大きな部屋１０００１および１０００６は、それぞれ２つのノードを含み、これらのノードはそれぞれ１０１および１０８と、１０６および１０７で示されている。固有のノードを含む各部屋は、１つのゾーン（ゾーン２、ゾーン３、ゾーン４およびゾーン５と呼ぶ）を形成し、２つのノードを含む各部屋は、各ゾーンがそれぞれ固有のノードを含む２つのゾーンを形成している。従って、ノードＮ１  １０１およびＮ８  １０８を含む部屋１０００１は、点線で区切られた２つのゾーン、すなわちノードＮ１  １０１を含むゾーン１（１０００１ａで示す）と、ノードＮ８  １０８を含むゾーン８（１０００１ｂで示す）とを形成している。ノードＮ６  １０６およびＮ７  １０７を含む部屋１０００６は、点線で区切られた２つのゾーン、すなわちノードＮ６  １０６を含むゾーン６（１０００６ａで示す）と、ノードＮ７  １０７を含むゾーン７（１０００６ｂで示す）とを形成している。ノードＮ１〜Ｎ８を含むネットワークを、本明細書の以下の部分では第２のネットワークと呼ぶが、このネットワークは、例えば標準ＩＥＥＥ８０２．１５．４に基づくプロトコル「Ｚｉｇｂｅｅ（登録商標）」を用いてメッシュ・ネットワークを形成すると有利である。ノードＮ１〜Ｎ８は、２．４ＧＨｚの周波数帯域に属する１つまたは複数のチャネル周波数を用いてデータ交換を行う。アクセス・ポイントＡＰ１およびＡＰ２を含むネットワークを、本明細書の以下の部分では第１のネットワークと呼ぶが、このネットワークは、Ｗｉ−Ｆｉ（登録商標）ネットワークを形成し、５ＧＨｚ周波数帯域に属する１つまたは複数のチャネル周波数を使用すると有利である。第１の無線ネットワークは、第２の無線ネットワークと物理的に異なるものであると有利である。一般に、ネットワークは、それが含むアクセス・ポイントまたはノード、使用する周波数帯域、実装する標準、活動期間���よって特徴付けられる。第１のネットワークと第２のネットワークとは、例えば、それらを構成するアクセス・ポイント（またはノード）が異なるという点、それらが使用する周波数帯域が異なるという点、それらが実装する標準が異なる（例えばＷｉ−Ｆｉ（登録商標）とＺｉｇｂｅｅなど）という点、および／あるいは、活動期間（すなわちデータの伝送／受信が行われている期間）がネットワーク間で互いに異なるという点で異なっている。変形例によれば、第１のネットワークのアクセス・ポイントＡＰ１、ＡＰ２は、ハードウェアの観点で第２のネットワークのノード１０１〜１０８と異なる。変形例によれば、アクセス・ポイントＡＰ１、ＡＰ２は、ソフトウェアの観点でノード１０１〜１０８と異なる。
【００２３】
変形例によれば、第２のネットワークは、例えば２．４ＧＨｚ周波数帯域に属する１つまたは複数のチャネル周波数を使用するＷｉ−Ｆｉネットワークを形成する。第１のネットワークと第２のネットワークは、例えば第１のネットワークが５ＧＨｚで第２のネットワークが２．４ＧＨｚ、またはその逆など、異なる周波数帯域を使用すると有利である。第１のネットワークが使用する周波数帯域と第２のネットワークが使用する周波数帯域の間隔は、例えば２オクターブ未満であり、１オクターブ未満または０．５オクターブ未満であると有利である。
【００２４】
他の変形例によれば、第２のネットワークは、２．４ＧＨｚ周波数帯域に属する１つまたは複数の周波数を用いる、標準ＩＥＥＥ．８０２．１５．１に基づく「Ｂｌｕｅｔｏｏｔｈ（登録商標）」プロトコルを用いたメッシュ・ネットワークを形成する。
【００２５】
他の変形例によれば、第１の無線ネットワークは第１の物理チャネルを使用し、第２の無線ネットワークは第１の物理チャネルとは異なる第２の物理チャネルを使用する。一般に、物理チャネルは、搬送周波数の帯域、周波数帯域幅、およびタイム・スロットの割当てスキーマによって特徴付けられる。ＣＤＭＡ（符号分割多重アクセス）アクセスの具体的なケースでは、物理チャネルは、拡散符号によっても特徴付けられる。
【００２６】
システム１のノード１０１〜１０８およびアクセス・ポイント１００１、１００２は、固定された装置であると有利である。ノード１０１〜１０８のうちの少なくとも１つは、「ピコセル」、すなわちビルやスーパーマーケットの内部など、数十メートル（例えば５０ｍ未満）の範囲を有する小さなエリアをカバーするシステムを形成する。アクセス・ポイント１００１および１００２のうちの少なくとも１つも、「ピコセル」をカバーするシステムを形成する。他の変形例によれば、ノード１０１〜１０８のうちの少なくとも１つは、一軒家またはビルのいくつかの部屋、ビルの１フロア、飛行機など、数メートル（例えば１０メートル未満）の範囲を有する、ピコセルより小さなサイズに制限されるエリアである「フェムトセル」をカバーするように設計されたシステムを形成する。アクセス・ポイント１００１および１００２のうちの少なくとも１つも、「フェムトセル」をカバーするシステムを形成する。
【００２７】
変形例によれば、全てのノード１０１〜１０８がＳＩＳＯ（単一入力単一出力）型であり、ただ１つのアンテナを有する。同様に、全てのアクセス・ポイント１００１および１００２がＳＩＳＯ型である。
【００２８】
他の変形例によれば、全てのノード１０１〜１０８がＭＩＭＯ型であり、ＭＩＭＯ信号を伝送する複数のアンテナを有する。同様に、全てのアクセス・ポイント１００１および１００２がＭＩＭＯ型である。
【００２９】
他の変形例によれば、システムのノード１０１〜１０８の一部（それぞれアクセス・ポイント１００１および１００２の一部）がＭＩＭＯ型であり、残りがＳＩＳＯ型である。
【００３０】
物理的空間内における第２のネットワークのノードの分布密度（すなわち物理的空間内に分布するノードの数）が、第１のネットワークのアクセス・ポイントの分布密度（すなわち物理的空間内に分布するアクセス・ポイントの数）より大きいと有利であり、例えば第２のネットワークのノードの密度は、第１のネットワークのアクセス・ポイントの密度の２倍、３倍、４倍、または５倍である。
【００３１】
アクセス・ポイント１００１と１００２は、例えばＭｏＣＡ（Ｍｕｌｔｉｍｅｄｉａ  ｏｖｅｒ  Ｃｏａｘ  Ａｌｌｉａｎｃｅ）型、イーサネット（登録商標）型、ＰＬＣ（Ｐｏｗｅｒｌｉｎｅ  Ｃｏｍｍｕｎｉｃａｔｉｏｎ）型、ＰＯＦ（Ｐｌａｓｔｉｃ  Ｏｐｔｉｃａｌ  Ｆｉｂｒｅ）型、またはＩＴＵ  Ｇ．ｈｎ（ＩＴＵ（国際電気通信連合）の次世代家庭内ネットワーク技術の標準に対応する）型の有線接続で互いに接続されると有利である。
【００３２】
図２は、例えば図１に示すアクセス・ポイント１００１および１００２に対応するアクセス・ポイント２のハードウェアの実施形態を示す概略図である。
【００３３】
アクセス・ポイント２は、クロック信号も伝送する、アドレスおよびデータのバス２４によって互いに接続された以下の構成を備えている。
マイクロプロセッサ２１（またはＣＰＵ（中央処理装置））
ＲＯＭ（読取り専用メモリ）型の不揮発性メモリ２２
ランダム・アクセス・メモリ、すなわちＲＡＭ２３
無線インタフェース２６
データ伝送（例えばサービスの同報通信、あるいはポイント・ツー・マルチポイント伝送またはポイント・ツー・ポイント伝送）を行うようになされ、特にコーダおよび／またはＯＦＤＭ変調器の機能を実行するインタフェース２７
ＭＭＩ（マン・マシン・インタフェース）インタフェース２８、または、ユーザに対して情報を表示し、且つ／あるいはデータまたはパラメータ（例えば副搬送波および伝送対象データのパラメータの設定など）を入力するのに適した特定のアプリケーション
【００３４】
なお、メモリ２２および２３の説明で使用する「レジスタ」という用語は、言及している各メモリにおける、小容量（いくつかの２値データ）のメモリ・ゾーン、および（１つのプログラム全体の記憶を可能にする、もしくは、全てのデータまたはデータの一部が受信されあるいは同報通信されることを可能にする）大容量のメモリ・ゾーンの両方を指すことに留意されたい。
【００３５】
メモリＲＯＭ２２は、特に、
プログラム「ｐｒｏｇ」２２０、および
物理レイヤのパラメータ２２１を含む。
【００３６】
以下に述べる本発明に特有の方法の各ステップを実施するアルゴリズムは、これらのステップを実施するアクセス・ポイント２に関連付けられたメモリＲＯＭ２２に記憶される。電源が投入されると、マイクロプロセッサ２１は、これらのアルゴリズムの命令をロードして実行する。
【００３７】
ランダム・アクセス・メモリ２３は、特に、以下の構成を含んでいる。
レジスタ２３０内の、アクセス・ポイント２における切替えを行うマイクロプロセッサ２１のオペレーティング・プログラム
伝送パラメータ２３１（例えば、変調、符号化、ＭＩＭＯ、フレームの繰返しのパラメータ）
受信パラメータ２３２（例えば、変調、符号化、ＭＩＭＯ、フレームの繰返しのパラメータ）。
入力データ２３３
データ伝送のための符号化データ２３４
物理チャネル・パラメータ２３５（例えば、決定された周波数の割当て、決定された周波数帯域の割当て、決定されたタイム・スロットの割当て、決定された符号の割当て、および／または、データの伝送時にアクセス・ポイント２によって決定される副搬送波の間隔）
【００３８】
無線インタフェース２６は、必要な場合に、図１には図示していないシステム１の１つまたは複数の移動端末から信号を受信するようになっている。
【００３９】
図３は、例えば図１に示すノード１０１〜１０８に対応するノード３のハードウェアの実施形態を示す概略図である。
【００４０】
ノード３は、クロック信号も伝送する、アドレスおよびデータのバス３４によって互いに接続された以下の構成を備えている。
マイクロプロセッサ３１（またはＣＰＵ（中央処理装置））
ＲＯＭ（読取り専用メモリ）型の不揮発性メモリ３２
ランダム・アクセス・メモリ、すなわちＲＡＭ３３。
無線インタフェース３６
データ伝送（例えばサービスの同報通信、あるいはポイント・ツー・マルチポイント伝送またはポイント・ツー・ポイント伝送）を行うようになされ、特にコーダの機能を実行するインタフェース３７
ＭＭＩ（マン・マシン・インタフェース）インタフェース２８、またはユーザに対する情報の表示、および／あるいはデータまたはパラメータの入力に適した特定のアプリケーション
【００４１】
なお、メモリ３２および３３の説明で使用する「レジスタ」という用語は、言及している各メモリにおける、小容量（いくつかの２値データ）のメモリ・ゾーン、および（１つのプログラム全体の記憶を可能にする、もしくは、全てのデータまたはデータの一部が受信されあるいは同報通信されることを可能にする）大容量のメモリ・ゾーンの両方を指すことに留意されたい。
【００４２】
メモリＲＯＭ３２は、特に、
プログラム「ｐｒｏｇ」３２０、および
物理レイヤのパラメータ３２１を含む。
【００４３】
以下に述べる本発明に特有の方法の各ステップを実施するアルゴリズムは、これらのステップを実施するノード３に関連付けられたメモリＲＯＭ３２に記憶される。電源が投入されると、マイクロプロセッサ３１は、これらのアルゴリズムの命令をロードして実行する。
【００４４】
ランダム・アクセス・メモリ３３は、特に、以下の構成を含んでいる。
レジスタ３３０内の、ノード３における切替えを行うマイクロプロセッサ３１のオペレーティング・プログラム
伝送パラメータ３３１（例えば、変調、符号化、ＭＩＭＯ、フレームの繰返しのパラメータ）
受信パラメータ３３２（例えば、変調、符号化、ＭＩＭＯ、フレームの繰返しのパラメータ）
入力データ３３３
データ伝送のための符号化データ３３４
図１に示すようにノードを含むゾーン１〜８にそれぞれ対応する物理的区画の識別子を表すデータ３３５
他のノードによって伝送される信号の受信品質パラメータ３３６（例えば受信信号のパワー・レベル、ＳＮＲ（信号対雑音比））
【００４５】
無線インタフェース３６は、必要な場合に、システム１の１つまたは複数のノード１０１〜１０８から伝送された信号を受信するようになっている。
【００４６】
図４は、本発明の特に有利な非制限的な実施形態による、システム１の無線ネットワークを構成する方法を示す図である。
【００４７】
初期化ステップ４０で、ノード１０１〜１０８の様々なパラメータが更新される。具体的には、伝送される信号に対応するパラメータと、必要に応じて副搬送波に対応するパラメータとが、（例えば、システム１の図示しないサーバから伝送される初期化メッセージの受信後に、またはオペレータからのコマンドによって）任意の方法で初期化される。
【００４８】
次いで、ステップ４１で、例えば５ＧＨｚ周波数帯域を用いるＷｉ−Ｆｉネットワークである第１のネットワークの少なくとも１つのアクセス・ポイントの１つまたは複数のパラメータを設定する。設定するパラメータは、以下の構成を含むグループに属する。
空間パラメータ。すなわち、例えば、物理的空間および／または物理的区画内におけるアクセス・ポイントの位置、物理的空間をカバーするために設置されるアクセス・ポイントの数、１つまたは複数のアンテナの方向。
物理レイヤ・パラメータ。すなわち、例えば、伝送チャネル周波数、伝送チャネル帯域幅、伝送パワー。
ＯＳＩ（開放型システム間相互接続）モデルによる物理レイヤより上位のレイヤのパラメータ。すなわち、例えば、ＴＤＭＡ（時分割多重アクセス）における信号伝送に割り当てられる時間間隔、ＣＤＭＡ（符号分割多重アクセス）における拡散符号、通信プロトコル。
【００４９】
変形例によれば、パラメータ群は、上記に挙げたパラメータのうちの１つ、２つ、または３つしか含まない。他の変形例によれば、第１に設定すべきパラメータは、上記に定義したパラメータ群のうちの少なくとも２つのパラメータの組合せであり、例えば空間パラメータを物理レイヤ・パラメータと関連付ける組合せである。
【００５０】
第１のネットワークのアクセス・ポイントに適用する１つまたは複数のパラメータの選択は、第２のネットワークについて確立されたリンク・バジェットによって決まる。第２のネットワークのリンク・バジェットとは、第２のネットワークのあるノードと第２のネットワークの他のノードとの間のリンクの品質を言い換えたものである。従って、第２のネットワークの大域的なリンク・バジェットは、ノード伝送側／ノード受信側の各対のリンク品質を表す一組の値をグループ化したものであり、アレイＮ×Ｎの形態で表されるものである。ここで、Ｎは、第２のネットワークのノード数である。従って、各ノードは、その信号伝送側ノードの識別子を表す信号を伝送する。この伝送された信号を受信したノードは、受信した信号のＲＳＳＩ（受信信号強度指標）を測定し、この信号を復号して信号伝送側ノードの識別子を抽出すると有利である。測定したＲＳＳＩに関連する伝送側ノードの識別子を表す情報項目は、当該ＲＳＳＩを測定した各ノードに記憶され、この情報は、伝送側識別子／測定受信信号ＲＳＳＩの全ての対を集約する第２のネットワークの制御装置に伝送される。伝送側ノード／受信側ノードの各対の測定ＲＳＳＩは、伝送側ノード／受信側ノードの各対のリンク品質を示す指標である。
【００５１】
変形例によれば、伝送側ノードと受信側ノードの間のリンク品質を表す他の指標は、ＢＥＲ（ビット誤り率）またはＦＥＲ（フレーム誤り率）である。ＲＳＳＩと同様に、ＢＥＲまたはＦＥＲも、当業者には既知の任意の方法で、第２のネットワークの別のノードから伝送された、ノードが受信した信号から測定される。第２のネットワークの各ノードは、その識別子を表す信号を伝送し、この信号を受信したノードは、ＢＥＲまたはＦＥＲを測定する。制御装置は、この情報を集約し、第２のネットワークのリンク・バジェットを表すアレイを確立する。
【００５２】
第１のネットワークのアクセス・ポイントがカバーすべき物理的空間の各ゾーンは第２のネットワークのノードを１つ含んでいるので、第２のネットワークのノードｉとノードｊとの間で決定されるリンク・バジェットは、当該物理的空間のゾーンｉとゾーンｊとの間で決定されるリンク・バジェットに対応する。
【００５３】
第２のネットワークのリンク・バジェットは、例えば計算、表、または経験的に決定したモデルにより、第２のネットワークのノードおよび第１のネットワークのアクセス・ポイントを表すパラメータに従って、当業者には既知の任意の方法で第１のネットワークのリンク・バジェットに変換される。代表的なパラメータは、例えば、１つまたは複数のアンテナ利得、伝送パワー、チャネル周波数などである。第１のネットワークの少なくとも１つのアクセス・ポイントについて設定すべき１つまたは複数のパラメータの選択は、例えばアクセス・ポイントと当該物理的空間の外部との間の干渉を制限しながら最適なアクセス・ポイントのパラメータを得ることによってカバーすべき物理的空間を最も良くカバーすることを可能にする試行錯誤アルゴリズムを用いて行うと有利である。
【００５４】
変形例によれば、第２のネットワークのノードの一部に対応するリンク・バジェットの一部分だけが決定される。
【００５５】
カバーすべき物理的空間は、第１のネットワークのユーザが決定すると有利である。
【００５６】
図５は、本発明の特に有利な非制限的な実施形態による、システム１の無線ネットワークを構成する方法を示す図である。
【００５７】
初期化ステップ５０で、ノード１０１〜１０８の様々なパラメータが更新される。具体的には、伝送される信号に対応するパラメータと、必要に応じて副搬送波に対応するパラメータとが、（例えば、システム１の図示しないサーバから伝送される初期化メッセージの受信後に、またはオペレータからのコマンドによって）任意の方法で初期化される。
【００５８】
次いで、ステップ５１で、例えばＷｉ−Ｆｉネットワークである第１のネットワークのアクセス・ポイントの期待カバレッジ・ゾーンに対応する物理的空間を決定する。期待カバレッジ・ゾーンは、例えばビルの１フロアや一軒家など、無線ネットワークのユーザがカバーされて欲しいと望む空間に対応する。この物理的空間の規定は、複数のステップで実行されると有利である。最初に、物理的空間を、１つまたは複数の物理的区画に分割する。この空間の仕切りは、複数の制約に応じている。各区画は、例えば「Ｚｉｇｂｅｅ」型メッシュ・ネットワークである第２のネットワークのノードを含んでいる。さらに、第２のネットワークのノードが伝送する信号の伝搬に付随する物理的障害物が、物理的区画を規定するために考慮に入れられる。例えば内壁、外壁、天井、床などである。ビルや家の部屋では、第２のネットワークのノードを含む小さな寸法（例えば５ｍ×５ｍ）の部屋が、物理的区画を画定する。第２のネットワークの複数のノードを含むそれよりも大きな寸法（例えば１０ｍ×１０ｍ）の部屋は、そこにあるノードと同じ数の物理的区画を含む。第１のネットワークのアクセス・ポイントのカバレッジ・ゾーンが区画壁または外壁によって画定される内部空間の外部まで延びていなければならない場合には、第１のネットワークのユーザが第１のネットワークのアクセス・ポイントによってカバーされて欲しいと望む外部空間も、第２のネットワークのノードをそれぞれ含む複数の物理的区画に仕切られる。第２のネットワークのノードが伝送する信号の伝搬に付随する物理的障害物も、外部の物理的区画の規定において考慮に入れると有利である。物理的空間の物理的区画が規定されると、各物理的区画に対して識別子（例えば昇順番号）が割り付けられる。各物理的区画内におけるノードの地理的位置を、物理的空間の平面モードで、すなわち例えば物理的空間の長さと幅を表す２本の軸ｘおよびｙを用いて指定すると有利である。変形例によれば、物理的空間内のノードの位置は、物理的区画の高さによって表されるｚ軸を次の成分として考慮したものである。この場合、物理的空間は３次元モードで表される。変形例によれば、物理的区画内におけるノードの位置は、例えば右上または左上の隅、右下または左下の隅、区画の中心、上側または下側の壁面の中央、平面モードの右側または左側の壁面の中央の床付近、ｚ成分も含めた３次元モードの中程度の高さの位置など、近似的な基準で規定される。他の変形例によれば、物理的区画内におけるノードの位置は、当該区画内のノードの正確な座標によって正確に規定される。
【００５９】
物理的空間の規定を表す情報、すなわち物理的空間の区画に関する情報および／または区画内のノードの地理的位置に関する情報の全てまたは一部を、第２のネットワークの管理装置のメモリに記録すると有利である。変形例によれば、物理的空間の規定を表す情報は、第１のネットワークの管理装置のメモリに記録されるか、または例えばマスタ・アクセス・ポイントなど、第１のネットワークのアクセス・ポイントの１つに直接記録される。
【００６０】
次いで、ステップ５２で、例えば「Ｚｉｇｂｅｅ」型メッシュ・ネットワークである第２のネットワークのリンク・バジェットの一部または全てを取得することを求める要求を、例えば第２のネットワークの制御装置や第２のネットワークの１つまたは複数のノードなどの第２のネットワークの構成が受信する。この要求は、例えば第１のネットワークの制御装置やアクセス・ポイントなどの第１のネットワークの構成が伝送すると有利である。変形例によれば、この要求は、第１のネットワークの実行または管理を行う個々の責任ある構成によって伝送される。他の変形例によれば、この要求は、第２のネットワークの１つまたは複数のノードに向けて、第２のネットワークの制御装置から伝送される。第２のネットワークのリンク・バジェットの全てまたは一部を取得することを求める要求は、物理的空間内の第１のネットワークのアクセス・ポイントの設置およびパラメータ設定の前に伝送されると有利である。変形例によれば、この要求は、毎日または毎時、定期的に伝送される。他の変形例によれば、この要求は、例えば１つまたは複数のノードの追加または削除、少なくとも１つのノードの伝送チャネル周波数の変更、物理的空間の規定を変更する１つまたは複数のノードの変位など、第２のネットワークのノードの１つまたは複数のパラメータに任意の変更が加えられた後に伝送される。
【００６１】
次いで、ステップ５３で、第２のネットワークのリンク・バジェットの一部または第２のネットワークのリンク・バジェットの全体を、第２のネットワークの制御装置が受信する。第２のネットワークのリンク・バジェットの全てまたは一部は、例えば制御装置やアクセス・ポイントなど、第１のネットワークに属する装置が受信すると有利である。変形例によれば、リンク・バジェットは、例えばマスタ・ノードである、第２のネットワークのノードの１つが受信する。
【００６２】
ステップ５４で、第２のネットワークのリンク・バジェットの一部または全体を決定する。これを行うために、有線または無線リンクで第２のネットワークに接続された第２のネットワークの制御装置は、例えば第２のネットワークのチャネル周波数など、第２のネットワークのパラメータを初期化する。次いで、第２のネットワークを構成する各ノードが、それ自身のドライバを第２のネットワークを構成するその他の全てのノードに対して伝送する。各ノードのドライバは、ノード識別子を含む。このようにして伝送されたドライバを受信した各ノードは、ドライバを復号し、受信したドライバに含まれる識別子をメモリまたはテーブルに記録する。受信したドライバごとに、ノードは、考慮対象のドライバを含む受信信号のＲＳＳＩ（受信信号強度指標）を測定し、これをメモリまたはテーブルに記録して、識別子と、ＲＳＳＩ受信パワーを測定した信号の伝送側ノードとを関連付ける。このようにして、第２のネットワークの各ノードは、他のノードから伝送されたドライバを含む受信信号ごとに、当該ドライバの伝送側ノードの識別子を記憶し、また、ドライバの識別子を表す情報と向き合わせて当該ドライバを含む受信信号の測定ＲＳＳＩ値を記憶する。全てのノードによってＲＳＳＩの測定が実施されると、各ノードは、制御装置に対して、伝送側ノードの識別子と関連付けた測定ＲＳＳＩ値と、これらの測定を実行したノードの識別子とを伝送する。このようにして、制御装置は、第２のネットワークの一組のノードが実行したＲＳＳＩの全ての測定値を、ノード伝送側／ノード受信側の対の識別子と関連付けて集約する。次いで、測定ＲＳＳＩ値を含むアレイ、アレイＮ×Ｎ（Ｎはノード数）または第２のネットワークが８個のノードを含む図１のシステムのアレイ８×８を取得する。Ｎ個のノードを含むネットワークでは、以下のアレイが得られる。
【００６３】
【数１】
0005541810.tif 000002
【００６４】
このように、アレイ（１）Ｎ×Ｎは、第２のネットワークのノード伝送側／ノード受信側の各対のＲＳＳＩの測定値を含む。Ｐ２１は、ノードＮ１から伝送された信号の、ノードＮ２によって測定されたＲＳＳＩである。Ｐ３１は、ノードＮ１から伝送された信号の、ノードＮ３によって測定されたＲＳＳＩであり、Ｐ１２は、ノードＮ２から伝送された信号の、ノードＮ１によって測定されたＲＳＳＩであり、以下同様である。ノードｊから伝送されたドライバが、ノードｉによって受信されない、または理解されない場合には、対応するＲＳＳＩの値は不定である。
【００６５】
第２のネットワークが８個のノードを含む図１に示すシステムでは、以下のアレイが得られる。
【００６６】
【数２】
0005541810.tif 000003
【００６７】
物理的空間の各物理的区画が固有のノードを含むので、ノードＮ１〜ＮＮの番号も、物理的区画の番号または識別子に対応する。
【００６８】
ノード伝送側／ノード受信側の各対の測定ＲＳＳＩ値を含むアレイを使用すると、アレイの各要素に以下の計算を適用することにより、リンク・バジェット・アレイを推定することが可能である。
Ｌｉｊ＝Ｐｉｊ−アンテナ利得（ｉ）−アンテナ利得（ｊ）−伝送パワー（ｊ）−Ｃｉｊ      （数式１）
ここで、Ｌｉｊは、区画ｉとｊの間のリンク・バジェットの値（ｄＢ）に対応し、Ｐｉｊは、ＲＳＳＩ（ｊに伝送されｉに受信された信号）に対応し、アンテナ利得（ｉ）は、全方向性アンテナ（または受信側区画）ｉに対する受信側ノードのアンテナ利得差に対応し、アンテナ利得（ｊ）は、全方向性アンテナ（または伝送側区画）に対する伝送側ノードｊのアンテナ利得差に対応し、伝送パワー（ｊ）は、伝送側ノードｊ（または伝送側区画）の伝送パワーに対応し、Ｃｉｊは定数である。Ｃｉｊは、デフォルトではヌルであり、そうでない場合には、それぞれの物理的区画内におけるノードｉおよびｊの地理的位置の精度によって決まり、理論計算または経験によって決定される非ヌル値Ｃをとる。
【００６９】
ノードｊから伝送されるドライバが、ノードｉによって受信されない、または理解されなかった場合、すなわち、対応するＲＳＳＩの値が不定である場合には、ノードｉとｊの間のリンク・バジェットは無限大である。
【００７０】
従って、以下のリンク・バジェット・アレイが得られる。
【００７１】
【数３】
0005541810.tif 000004
【００７２】
ステップ５４が繰り返され、第２のネットワークの制御装置が、第２のネットワークを再初期化して、第２のネットワークのノードが使用するチャネル周波数の別の値を割り当てると有利である。次いで、ノード伝送側／ノード受信側の各対のＲＳＳＩを再度測定し、使用する新たなチャネル周波数に基づいてリンク・バジェットを再度決定する。この動作を、複数のチャネル周波数について反復すると有利である。次いで、使用する異なるチャネル周波数について計算したリンク・バジェットの全ての値を平均することにより、第２のネットワークのリンク・バジェット・アレイを決定する。このようにして得られた結果には、より精度が高く、且つ周波数チャネルの周波数ダイバーシティへの依存性が低いという利点がある。変形例によれば、リンク・バジェットの計算に使用されるこれらのチャネル周波数は、例えば２．４ＧＨｚ周波数帯域や５ＧＨｚ周波数帯域など、同じ周波数帯域に属する。
【００７３】
変形例によれば、第２のネットワークのリンク・バジェットは、第２のネットワークの一部についてのみ、すなわち第２のネットワークのノードの（または第２のネットワークがカバーする区画の）一部についてのみ決定する。リンク・バジェットは、例えば、ノードＮ１、Ｎ２、Ｎ７およびＮ８のみによって、または、ノードＮ３、Ｎ４、Ｎ５およびＮ６についてのみ決定される。
【００７４】
他の変形例によれば、リンク・バジェットの一部は、ステップ５３で述べたように受信され、第２のネットワークのリンク・バジェットの他の部分（または追加の部分）は、ステップ５４で述べたように決定される。
【００７５】
次いで、ステップ５５で、例えばＷｉ−Ｆｉネットワークである第１のネットワークのリンク・バジェットを決定する。これを行うために、第２のネットワークのリンク・バジェットのアレイの各要素Ｌｉｊは、第１のネットワーク内の区画ｉとｊの間のリンク・バジェットを表す要素Ｌ’ｉｊに変換される。従って、各要素Ｌｉｊに以下の数式を適用して、Ｌ’ｉｊを得る。
Ｌ’ｉｊ＝Ｌｉｊ＋２０ｌｏｇ１０（Ｆ２／Ｆ１）＋１０ｌｏｇ１０（チャネル幅２／チャネル幅１）−Ｃ      （数式２）
ここで、Ｌ’ｉｊは、区画ｉとｊの間の第１のネットワークのリンク・バジェット（ｄＢ）を表し、Ｌｉｊは、区画ｉとｊの間の第２のネットワークのリンク・バジェット（ｄＢ）を表し、Ｆ２は、例えば２．４ＧＨｚである、第２のネットワークが使用する周波数であり、Ｆ１は、例えば５ＧＨｚである、第１のネットワークが使用する周波数であり、チャネル幅２は、例えば２００ｋＨｚである、第２のネットワークのチャネルの幅であり、チャネル幅１は、例えば２０ＭＨｚである、第１のネットワークのチャネルの幅であり、Ｃは、２つの周波数Ｆ１とＦ２の間の吸収差の理論計算によって、または経験によって決定される定数である。
【００７６】
Ｌｉｊが不定値をとる場合には、Ｌ’ｉｊも不定値をとる。従って、第１のネットワークのリンク・バジェットを表すアレイは、以下のように得られる。
【００７７】
【数４】
0005541810.tif 000005
【００７８】
変形例によれば、第１のネットワークのリンク・バジェットは、経験的に定められる変換テーブルにより第２のネットワークのリンク・バジェット・アレイを変換することによって決定される。
【００７９】
第１のネットワークのリンク・バジェット・アレイは、第１のネットワークを構成するノードの伝送パワー（ｄＢ）のリンク・バジェット・アレイの各要素、および、全方向性アンテナに対する伝送アンテナ利得と受信アンテナ利得との差に付加することにより、第１のネットワークから受信した信号のアレイに変換されると有利である。
【００８０】
変形例によれば、例えば１０ｄＢ±５ｄＢである、当業者には既知の任意の方法によって経験的に、または理論計算によって決定した誤差マージンを、第１のネットワークのリンク・バジェット・アレイの各要素に付加する。このように誤差マージンを付加することにより、第２のネットワークの空間的サンプリング誤差、物理的区画内に現れる分散、および変換誤差を考慮に入れて、第２のネットワークの周波数から第１のネットワークの周波数に移行することが可能になる。
【００８１】
他の変形例によれば、第１のネットワークのリンク・バジェット・アレイは、リンク・バジェット・アレイの各要素から第１のネットワークの感度しきい値を表すしきい値（例えば−６０または−８０ｄＢｍ）を除去することにより、疎なアレイに変換する。従って、この疎なアレイにより、２つの物理的区画の間の不可能な相互接続を表す空き空間、および動作マージン（またはリンク・マージン）（ｄＢ）を表示することが可能になる。第１のネットワークの動作マージンは、２つの物理的区間の間の相互接続が良好になるほど、正になる。第１のネットワークの感度しきい値を表すしきい値は、例えばＱＡＭ（直交振幅変調）、ＢＰＳＫ（２値移相シフト・キーイング）、またはＱＰＳＫ（直交位相シフト・キーイング）の副搬送波変調など、第１のネットワークのアクセス・ポイントを介した信号の伝送中に適用される変調のタイプによって決まると有利である。
【００８２】
他の変形例によれば、第１のネットワークのリンク・バジェット・アレイは、２つの物理的区画の重複ゾーンに発生する干渉のレベルを表示するアレイに変換される。このようなアレイは、第１のネットワークのリンク・バジェットを表すアレイの各要素から、第１のネットワークの各ノードのデフォルト伝送パワー値の信号対雑音または信号対干渉のしきい値Ｃ／Ｉを除去することによって得られる。こうして得られる値は、２つの物理的区画間に生じる干渉が大きくなるほど、正になる。このようなアレイには、どの区画とどの区画との間で干渉が最大になるか、従って接続の有効性がどこで低くなるかを素早く突き止めることができるという利点がある。
【００８３】
第１のネットワークのリンク・バジェットを決定する前に、例えば第２のネットワークの制御装置またはノードに、あるいは第１のネットワークの制御装置またはアクセス・ポイントに、第２のネットワークのパラメータを記憶する。第２のネットワークのパラメータは、以下の要素を含むグループに属する。
第２のネットワークのノードが使用することができる周波数のリスト
第２のネットワークのリンク・バジェット・アレイを確立するために利用することができる第２のネットワークのノードのリスト
第２のネットワークのリンク・バジェットを計算するために各ノードが使用する伝送パワー。最大許容伝送パワーを使用してリンク・バジェットを決定すると有利である。
第２のネットワークの各ノードのアンテナ利得値。アンテナ利得値は、各ノードで同じであると有利である。
各ノードに関連付けられた、すなわち各ノードを含む、物理的区画の識別子。
【００８４】
同様に、第１のネットワークの一般的なパラメータも、第１のネットワークのリンク・バジェットを決定する前に、既知で、記憶しておくと有利である。これらの一般的なパラメータには、例えば、使用するチャネル周波数、チャネル幅、１つまたは複数の伝送パワー、および１つまたは複数のアンテナ利得が含まれる。変形例によれば、第１のネットワークのリンク・バジェットを決定する際に、例えば、他のノードが使用する伝送パワー以外の伝送パワーや、１つまたは複数のノードに付与される位置など、第１のネットワークの一部のノード（例えば第１のネットワークのアクセス・ポイントや移動局など）の特異性を考慮に入れる。
【００８５】
最後に、ステップ５６で、例えばＷｉ−Ｆｉネットワークである第１のネットワークのアクセス・ポイントの１つまたは複数のパラメータを設定する。ここで設定するパラメータは、以下の要素を含むグループに属する。
空間パラメータ。すなわち、例えば、物理的空間および／または物理的区画内におけるアクセス・ポイントの位置、物理的空間をカバーするために設置されるアクセス・ポイントの数、１つまたは複数のアンテナの方向。
物理レイヤ・パラメータ。すなわち、例えば、伝送チャネル周波数、伝送チャネル帯域幅、伝送パワー。
ＯＳＩ（開放型システム間相互接続）モデルによる物理レイヤより上位のレイヤのパラメータ。すなわち、例えば、ＴＤＭＡ（時分割多重アクセス）における信号伝送に割り当てられる時間間隔、ＣＤＭＡ（符号分割多重アクセス）における拡散符号、通信プロトコル。
【００８６】
変形例によれば、パラメータ群は、上記に挙げたパラメータのうちの１つ、２つ、または３つしか含まない。他の変形例によれば、第１および第２のパラメータは、上記に定義したパラメータ群のうちの少なくとも２つのパラメータの組合せであり、例えば空間パラメータを物理レイヤ・パラメータと関連付ける組合せである。
【００８７】
第１のネットワークのアクセス・ポイントの少なくとも１つで設定される１つまたは複数のパラメータの選択は、例えばアクセス・ポイントと物理的空間の外部との間の干渉を制限しながら物理的空間を最もよくカバーするのに最適なアクセス・ポイントのパラメータの取得を可能にする試行錯誤アルゴリズムを用いて行うと有利である。１つのアクセス・ポイントが保証しなければならない地理的な伝送有効範囲は、例えば前のステップで決定された疎なアレイから計算される。前のステップで決定された干渉のレベルを表示するアレイから、第１のネットワークのアクセス・ポイントのとりうる位置に対する、第１のネットワークのノード（例えば移動局など）の各位置に現れる相互干渉を決定する。このように、試行錯誤アルゴリズムは、全てのパラメータの組合せ、特に、物理的空間内におけるアクセス・ポイントの位置（例えばアクセス・ポイントがその中に位置しているべき物理的区画の指標など）、必要とされるアクセス・ポイントの数、各アクセス・ポイントに適用される最小伝送パワー、各アクセス・ポイントに使用される伝送チャネル周波数などの組合せによるモデリングを可能にする。
【００８８】
変形例によれば、例えばアクセス・ポイントの伝送最大パワー、アクセス・ポイントの数、１つまたは複数のアクセス・ポイントの位置などの優先パラメータを求め、残りの設定パラメータは、これらの付与された優先パラメータに従って計算する。
【００８９】
本発明が、上述の実施形態に限定されないことは言うまでもない。
【００９０】
特に、本発明は、２つのアクセス・ポイントを含む第１のネットワークと８個のノードを含む第２のネットワークに限定されるわけではなく、少なくとも１つのアクセス・ポイントを含む第１のネットワークと、少なくとも２つのノードを含む第２のネットワークとを含むシステムに拡張されるものである。
【００９１】
第１のネットワークは、５ＧＨｚ周波数帯域を用いるＷｉ−Ｆｉネットワークに限定されるわけではなく、例えばＬＴＥ（ロング・ターム・エボリューション）やＨＳＤＰＡ（高速ダウンリンク・パケット・アクセス）を用いたＨｉｐｅｒＬＡＮ２やＦｅｍｔｏなど、任意のＷＬＡＮ型無線ネットワークに拡張される。同様に、第２のネットワークも、「Ｚｉｇｂｅｅ」型の軽いノードのメッシュ・ネットワークに限定されるわけではなく、例えば２．４ＧＨｚ周波数帯域を用いたＷｉ−Ｆｉネットワーク（標準ＩＥＥＥ８０２．１１ｂまたはＩＥＥＥ８０２．１１ｇ）、Ｂｌｕｅｔｏｏｔｈ型ネットワーク（標準ＩＥＥＥ８０２．１５．１）、ＥＴＳＩ  ＨｉｐｅｒＰＡＮネットワークなど、ＷＬＡＮ型またはＷＰＡＮ（無線パーソナル・エリア・ネットワーク）型の任意の無線ネットワークに拡張される。
【００９２】
変形例によれば、第２のネットワークのリンク・バジェットは、ＢＥＲ（ビット誤り率）またはＦＥＲ（フレーム誤り率）から決定される。従って、他のノードから伝送された、信号伝送側ノードの識別子を表す信号を受信したノードは、ＢＥＲまたはＦＥＲを測定する。このようにして、ノード伝送側／ノード受信側の各対ごとにＢＥＲまたはＦＥＲの測定値を再グループ化したアレイを得て、第２のネットワークのリンク・バジェットを表すアレイを定義することが可能になる。
【００９３】
他の変形例によれば、物理的空間の各ゾーンまたは物理的区画は、例えば２つや３つなど、第２のネットワークのノードを２つ以上含む。複数のノードを含む２つの区画ｉとｊの間の測定ＲＳＳＩ値は、例えば区画ｊの各ノードが伝送した１つまたは複数の信号をそれぞれ受信した区画ｉのノードが測定したＲＳＳＩの平均に対応する。区画ｉと区画ｊの間に確立されるリンク・バジェットは、区画ｉのノードと区画ｊのノードとの可能性のある各対のリンク・バジェットの平均に対応する。
【図１】
0005541810.tif 000006
【図２】
0005541810.tif 000007
【図３】
0005541810.tif 000008
【図４】
0005541810.tif 000009
【図５】
0005541810.tif 000010